(57)【特許請求の範囲】
【請求項１】
外枠に開閉自在に枢着された前枠の裏側に、遊技球を貯留する遊技球タンクと、賞球を前記前枠の前側に装着された球受け皿へと払い出す賞球払い出し手段と、貸し球を前記球受け皿へと払い出す貸し球払い出し手段と、前記遊技球タンクからの遊技球を前記賞球払い出し手段へと供給する賞球供給通路と、前記遊技球タンクからの遊技球を前記貸し球払い出し手段へと供給する貸し球供給通路とを備えた弾球遊技機において、後側に着脱自在に装着される後壁部材と共に前記賞球供給通路を構成する賞球通路部材と、前記賞球供給通路に対応して上側に配置され且つ前記賞球供給通路内の遊技球の重なりを崩す球崩し手段とをその前側で支持し、前側に前記賞球供給通路と前記貸し球供給通路とを区画する通路壁を、前記貸し球供給通路の後側に前記通路壁よりも上方に突出する後壁を夫々一体に有し且つ前記貸し球供給通路を構成する貸し球通路部材を、前記後壁部材に代えて前記賞球通路部材の後側に装着可能にし、前記通路壁と前記後壁との間で前記貸し球供給通路の上側に配置され且つ前記貸し球供給通路内の遊技球の重なりを崩す球崩し手段を、前記賞球供給通路側の前記球崩し手段の取り付け側とは別に前記後壁の前側上部に取り付けたことを特徴とする弾球遊技機。
【発明の詳細な説明】
【０００１】
【発明の属する技術分野】
本発明は、パチンコ機、アレンジボール機等の弾球遊技機に関し、賞球供給通路、貸し球供給通路を通過する遊技球の重なりを崩し、賞球払い出し手段、貸し球払い出し手段に円滑に遊技球を供給できるようにしたものである。
【０００２】
【従来の技術】
弾球遊技機の現金機では、遊技機本体の裏側上部に遊技球タンクを設け、この遊技球タンクからの遊技球を供給通路を経て払い出し手段に供給し、この払い出し手段により排出通路を経て遊技機本体の前側の球受け皿へと遊技球を払い出す。
【０００３】
この場合、遊技球タンクの下側の供給通路では遊技球が重なり易いため、従来は実公平６−８１５８４号公報に記載のように、供給通路の上側に球崩し手段を設けて、球崩し手段により供給通路内を通過中に遊技球の重なりを崩して、遊技球を一列状に整列させながら払い出し手段へと供給するようにしている。
【０００４】
【発明が解決しようとする課題】
ＣＲ機の場合には、賞球払い出し手段と貸し球払い出し手段、賞球供給通路と貸し球供給通路、賞球排出通路と貸し球排出通路を夫々並設しておき、入賞による賞球の払い出し要求があれば、遊技球タンクから賞球供給通路を経て供給される遊技球を賞球払い出し手段により球受け皿へと払い出し、また球貸し操作による貸し球の払い出し要求があれば、遊技球タンクから貸し球供給通路を経て供給される遊技球を貸し球払い出し手段により球受け皿へと払い出すことが考えられている。
【０００５】
このような場合、賞球供給通路及び貸し球供給通路の夫々において、その供給通路内での遊技球の重なりの問題が発生し、各払い出し手段へと円滑に遊技球を供給できなくなる惧れがある。
【０００６】
本発明は、このような従来の問題点に鑑み、賞球供給通路、貸し球供給通路の夫々での遊技球の重なりを防止でき、遊技球タンクからの遊技球を各払い出し手段へと円滑に供給できる弾球遊技機を提供することを目的とする。
【０００７】
【課題を解決するための手段】
本発明は、外枠に開閉自在に枢着された前枠の裏側に、遊技球を貯留する遊技球タンクと、賞球を前記前枠の前側に装着された球受け皿へと払い出す賞球払い出し手段と、貸し球を前記球受け皿へと払い出す貸し球払い出し手段と、前記遊技球タンクからの遊技球を前記賞球払い出し手段へと供給する賞球供給通路と、前記遊技球タンクからの遊技球を前記貸し球払い出し手段へと供給する貸し球供給通路とを備えた弾球遊技機において、後側に着脱自在に装着される後壁部材と共に前記賞球供給通路を構成する賞球通路部材と、前記賞球供給通路に対応して上側に配置され且つ前記賞球供給通路内の遊技球の重なりを崩す球崩し手段とをその前側で支持し、前側に前記賞球供給通路と前記貸し球供給通路とを区画する通路壁を、前記貸し球供給通路の後側に前記通路壁よりも上方に突出する後壁を夫々一体に有し且つ前記貸し球供給通路を構成する貸し球通路部材を、前記後壁部材に代えて前記賞球通路部材の後側に装着可能にし、前記通路壁と前記後壁との間で前記貸し球供給通路の上側に配置され且つ前記貸し球供給通路内の遊技球の重なりを崩す球崩し手段を、前記賞球供給通路側の前記球崩し手段の取り付け側とは別に前記後壁の前側上部に取り付けたものである。
【０００８】
【発明の実施の形態】
以下、本発明の各実施形態を図面に基づいて詳述する。図１〜図８は本発明をパチンコ機に採用した第１の実施形態を例示する。図１及び図２において、１は遊技機本体で、外枠２と、この外枠２に開閉自在に枢着された前枠３とを有する。前枠３には遊技盤４が裏側から着脱自在に装着され、また遊技盤４の前側にガラス扉５と前面板６とが開閉自在に配置されている。
【０００９】
前面板６には、発射用の遊技球を貯留する上皿（球受け皿）７が装着されている。上皿７のカバー８には、自動球貸し機用の球貸しスイッチ９、返却スイッチ１０、残額表示部１１等が設けられている。前枠３の下部には、余剰球を貯留する下皿（余剰球受け皿）１２と、発射手段１３の発射ハンドル１４とが設けられている。発射手段１３は、発射ハンドル１４を操作したときに、上皿７から発射レール１３ａ上に１個づつ供給される遊技球を遊技盤４側へと発射させるようになっている。
【００１０】
遊技盤４には、ガイドレール１５が環状に装着されると共に、そのガイドレール１５の内側の遊技領域１６に特別図柄表示手段１７、特別図柄始動手段１８、可変入賞手段１９等の複数個の遊技部品が配置されている。
【００１１】
前枠３の裏側には、遊技盤４用の装着枠２０が固定され、この装着枠２０に、その遊技盤４を裏側から押さえるように裏機構板２１が設けられている。裏機構板２１はその左方向の一端側のヒンジ２２により装着枠２０に開閉自在に枢着され、締結手段２３により閉状態で装着枠２０に締結されている。裏機構板２１は、遊技盤４の裏側の裏カバー２４が嵌合する開口部２５が形成され、また裏機構板２１にはその開口部２５の上側に遊技球タンク２６、賞球供給通路２７、貸し球供給通路２８が、左右方向の一側に賞球払い出し手段２９、貸し球払い出し手段３０が、下側に通路ユニット３１が夫々設けられている。
【００１２】
裏カバー２４は、遊技盤４に装着された特別図柄表示手段１７等の複数個の遊技部品を裏側から覆うためのもので、遊技盤４に着脱自在に固定されている。裏カバー２４には、主制御基板３２を収納する主制御基板ケース３３と、ランプ制御基板３４を収納するランプ制御基板ケース３５と、音声制御基板３６を収納する音声制御基板ケース３７とが着脱自在に装着されている。
【００１３】
通路ユニット３１の裏側には、ケース取り付け板３８を介して制御基板ケース３９が着脱自在に装着され、この制御基板ケース３９内に電源基板４０と払い出し制御基板４１とが左右に収納されている。
【００１４】
遊技球タンク２６は、遊技球補給系から補給された遊技球を貯留するためのもので、図３及び図５に示すように、裏機構板２１の裏側上部に着脱自在に固定されると共に、遊技球の重量を前枠３側で担持すべくその係合部４３が前枠３の裏側の係止具４４に係合されている。そして遊技球タンク２６の底壁４５には、左右方向の一端側で且つ各払い出し手段２９，３０と反対側に遊技球の出口４６が形成されている。なお、係止具４４は、裏機構板２１の開閉により遊技球タンク２６の係合部４３に係脱自在である。
【００１５】
賞球払い出し手段２９は賞球払い出し要求があったときに遊技球タンク２６からの遊技球を賞球として、貸し球払い出し手段３０は貸し球払い出し要求があったときに遊技球タンク２６からの遊技球を貸し球として夫々払い出すためのものであり、上下方向の払い出しケース２９ａ，３０ａと、この払い出しケース２９ａ，３０ａ内に回転自在に設けられた払い出し用の回転体２９ｂ，３０ｂと、この回転体２９ｂ，３０ｂを駆動する払い出しモータ２９ｃ，３０ｃとを備えている。各払い出し手段２９，３０の払い出しケース２９ａ，３０ａは左右に一体又は別体で並設され、また払い出しモータ２９ｃ，３０ｃは互いに左右の反対側に配置されている。なお、賞球払い出し手段２９は二列払い出し式であり、遊技機本体１の内側に配置されている。
【００１６】
通路ユニット３１は、各払い出し手段２９，３０から払い出された遊技球を別々に案内する案内通路４７，４８を有し、前面板６側に左右に隣接して設けられた別々の排出口４９，５０を経て上皿７へと遊技球を排出するようになっている。なお、通路ユニット３１には、上皿７内の遊技球が満杯状態のときに、各払い出し手段２９，３０から払い出された後続の遊技球を溢流させる溢流部と、その溢流部からの遊技球を下皿１２へと案内する溢流案内通路（何れも図示省略）とが設けられている。
【００１７】
賞球供給通路２７は遊技球タンク２６からの遊技球を賞球払い出し手段２９へと供給し、貸し球供給通路２８は遊技球タンク２６からの遊技球を貸し球払い出し手段３０へと供給するためのもので、遊技球タンク２６の下側に近接して払い出し手段２９，３０側が低くなるように左右方向に緩やかな傾斜状に配置され、裏機構板２１の裏側に前後に並設されている。賞球供給通路２７、貸し球供給通路２８は図３〜図７に示すように通路部材４２と、その下流側の案内部材５１とにより構成され、その通路部材４２、案内部材５１は裏機構板２１に着脱自在に固定されている。
【００１８】
賞球供給通路２７、貸し球供給通路２８には、その上手側に球切れ感知部材５２が設けられ、また球切れ感知部材５２よりも下手側の上側に、遊技球が各供給通路２７，２８内で一列状に整列するように、遊技球の重なりを崩すための第１球崩し手段５３，５４と第２球崩し手段５５，５６とが賞球供給通路２７と貸し球供給通路２８とに対応して別々に設けられている。
【００１９】
通路部材４２は、その上側が通路壁５７により、前後に並設された２個の賞球供給通路２７と、この賞球供給通路２７の裏側に並設された１個の貸し球供給通路２８とに区画されている。従って、通路部材４２上には前後方向に３個の供給通路２７，２８が設けられている。通路壁５７は上端縁が山形状で、下流側になるに従って徐々に高くなっている。案内部材５１には通路部材４２側に連続して賞球供給通路２７、貸し球供給通路２８が形成されると共に、その下流側の端部に落下部２７ａ，２８ａが形成されている。各落下部２７ａ，２８ａは裏機構板２１に沿って左右方向に横一列状に配置され、各供給通路２７，２８からの遊技球を各払い出し手段２９，３０へと案内するようにその下側の払い出しケース２９ａ，３０ａに連通されている。
【００２０】
案内部材５１には各供給通路２７，２８の下手側をその上側から塞ぐ上壁部５８が設けられている。上壁部５８は各供給通路２７，２８内を遊技球が１個通過し得るだけの高さであり、遊技球が入り易くなるように上手側が上側に反り上がっている。なお、各供給通路２７，２８は上壁部５８を除く上手側の全体が上開放状になっている。また通路部材４２の後壁６０には、遊技球タンク２６の出口４６に対応する部分に、後方へと張り出す張り出し部５９が形成されている。後壁６０は案内部材５１側に突出し、案内部材５１と共に裏機構板２１に着脱自在に固定されている。通路部材４２と案内部材５１とを一体に構成しても良い。
【００２１】
球切れ感知部材５２は供給通路２７，２８内の球切れを感知して球切れ感知手段６１を作動させるためのもので、遊技球タンク２６の出口４６に対応して通路部材４２の底壁５１ａ上に配置されると共に、下手側で支軸６２により上下揺動自在に枢支されている。この球切れ感知部材５２は、各供給通路２７，２８に対応する前後幅を有し、各供給通路２７，２８に共通して設けられている。なお、球切れ感知部材５２には、その上側に各通路壁５７に対応する通路壁５２ａが設けられている。球切れ感知部材５２の下側には、一端がこの球切れ感知部材５２に連動連結され且つ他端にウエイト６３を備えた揺動アーム６４が配置されている。揺動アーム６４は裏機構板２１側に支軸６５により上下揺動自在に枢支されている。球切れ感知手段６１は裏機構板２１に装着され、球切れ感知部材５２が上昇したときに揺動アーム６４の一端を介して作動し球切れを感知するようになっている。
【００２２】
第１球崩し手段５３，５４、第２球崩し手段５５，５６には図３、図６及び図７に示すように異なる種類のものが使用されており、供給通路２７，２８の上手側に第１球崩し手段５３，５４が、下手側に第２球崩し手段５５，５６が位置するように通路方向に所定の間隔をおいて配置されている。また賞球供給通路２７側の第１球崩し手段５３，５４及び／又は第２球崩し手段５５，５６は、２個の賞球供給通路２７に跨がって設けられている。
【００２３】
第１球崩し手段５３，５４は、各供給通路２７，２８内の遊技球が重なり状態で通過するときに、下端部側がその各供給通路２７，２８内の重なり状態の遊技球と接触するように各供給通路２７，２８の上側に上下方向に配置され、且つ上端部側が前後方向の枢支ピン６８により通路方向に揺動自在に枢支された揺動部材６９，７０と、この揺動部材６９，７０の下部側に埋め込まれたウエイト７１，７２とを備え、供給通路２７，２８の長手方向の略中央等、上手側の適当箇所に配置されている。ウエイト７１，７２は枢支ピン６８よりも下側で揺動部材６９，７０の上下方向の中間部と下端部とに２個あるが、１個にしても良い。揺動部材６９，７０は各供給通路２７，２８毎に対応して独立しており、その上端側の間隔保持用のボス部６９ａ，７０ａに共通の枢支ピン６８が挿通されている。枢支ピン６８は裏機構板２１に一体又は別体に設けられ、この枢支ピン６８の後端側に揺動部材６９，７０の外れ止め用のネジ７３が螺合されている。
【００２４】
第２球崩し手段５５，５６は、各供給通路２７，２８内の遊技球が重なり状態で通過するときに、上手側がその各供給通路２７，２８内の重なり状態の遊技球と接触するように通路方向に配置され、且つ下手側が枢支ピン７４により上下方向に昇降自在に枢支された昇降部材７５，７６を備え、供給通路２７，２８の上壁部５８の近傍等、下手側の適当箇所に配置されている。昇降部材７５，７６は適当な重量を有し且つ橇状に湾曲した金属板製であって、供給通路２７，２８の上壁の近傍で裏機構板２１のボス部７７と、後壁６０とに跨がって前後方向に挿通された共通の枢支ピン７４により枢支されている。
【００２５】
賞球供給通路２７側の昇降部材７５は、２個の賞球供給通路２７に跨がる前後幅を有し、下側の底壁５１ａとの間に１個の遊技球が通過し得るだけの間隔をおいて通路壁５７上に当接している。貸し球供給通路２８側の昇降部材７６は、下側の底壁５１ａとの間に１個の遊技球が通過し得るだけの間隔ができるように後壁６０に上側から係脱自在に係合する係合片７６ａを有する。昇降部材７５，７６の上側には、裏機構板２１側から各昇降部材７５，７６の上方側に突出するストッパー７８ａが設けられており、このストッパー７８ａにより、昇降部材７５，７６が上壁部５８の反り上がり部分に連続して遊技球を案内し易い角度で昇降部材７５，７６の上昇を規制するようになっている。
【００２６】
次に上記構成における動作を説明する。遊技に際して自動球貸し機（図示省略）に遊技カードを挿入し、球貸しスイッチ９を操作すると、自動球貸し機からの貸し球払い出し要求により貸し球払い出し手段３０の払い出しモータ３０ｃが作動し、遊技者の操作回数に応じて貸し球払い出し手段３０が遊技球を貸し球として払い出す。また遊技中に遊技盤４の可変入賞手段１９等に遊技球が入賞すると、主制御基板３２からの賞球払い出し要求により賞球払い出し手段２９の払い出しモータ２９ｃが作動し、入賞球に応じて賞球払い出し手段２９が遊技球を賞球として払い出す。
【００２７】
通常、遊技球タンク２６には多数の遊技球が貯留されており、この遊技球タンク２６の出口４６から各供給通路２７，２８を経て各払い出し手段２９，３０の払い出しケース２９ａ，３０ａへと供給されて行く。各供給通路２７，２８上には常に多数の遊技球が充満状態にあり、遊技球タンク２６の出口４６から下方に出た遊技球は、図３に示すようにその下側部分で山状に盛り上がった状態に堆積している。そして、各払い出し手段２９，３０が作動して遊技球を払い出す都度、各供給通路２７，２８上の遊技球がその下流側から順次払い出しケース２９ａ，３０ａ内へと移動して行く。このとき図３又は図８に示すように供給通路２７，２８上で遊技球が二段に重なっておれば、第１球崩し手段５３，５４の各揺動部材６９，７０が上側の遊技球に接触して抵抗を付与するため、その上側の遊技球が下側の遊技球間に入るように順次崩されながら移動して行く。
【００２８】
また仮に第１球崩し手段５３，５４で一部の遊技球が崩されずに重なり状態で通過した場合でも、その重なり状態の遊技球は、第２球崩し手段５５，５６まで来たときに、昇降部材７５，７６に接触して押し上げるので、その抵抗によって崩されて行く。従って、第１球崩し手段５３，５４、第２球崩し手段５５，５６を通過する間に、全ての遊技球が崩されて各供給通路２７，２８毎に一列状に整列した後、その終端の落下部２７ａ，２８ａから払い出しケース２９ａ，３０ａへと落下することになり、供給通路２７，２８での遊技球の重なりによる球詰まりを防止できる。
【００２９】
特に第１球崩し手段５３，５４が揺動部材６９，７０を、第２球崩し手段５５，５６が昇降部材７５，７６を夫々備えたものであって、種類の異なる球崩し手段５３，５４、５５，５６を通路方向に所定の間隔をおいて配置しているため、供給通路２７，２８内の遊技球の重なりを効率的に崩すことができる。
【００３０】
図９、図１０は本発明の第２の実施形態を例示する。この実施形態では、遊技球タンク２６に２個の賞球供給通路２７に対応する出口４６ａと、１個の貸し球供給通路２８に対応する出口４６ｂとが別々に設けられ、遊技球タンク２６の出口４６から上皿７側の排出口４９，５０までの全体が賞球系と貸し球系とに分離されている。この場合にもその賞球供給通路２７、貸し球供給通路２８に対応して第１球崩し手段５３，５４と第２球崩し手段５５，５６とを設けることが可能である。
【００３１】
図１１〜図１５は本発明の第３の実施形態を例示する。この実施形態では、賞球供給通路２７の裏側に貸し球供給通路２８を着脱自在に設け、その貸し球供給通路２８側に第１球崩し手段５４と第２球崩し手段５６とが設けられている。
【００３２】
賞球供給通路２７は通路壁２７ｂを備えた賞球通路部材７８と、この賞球通路部材７８の後側に配置された貸し球通路部材７９とにより構成され、その貸し球通路部材７９は賞球通路部材７８に着脱自在に装着されている。賞球通路部材７８は複数個所でネジ等により裏機構板２１に着脱自在に固定されている。貸し球供給通路２８は前側に通路壁２８ｂを、後側に張り出し部５９付きの後壁６０を夫々一体に備え、複数個所でボス部７９ａを介して賞球通路部材７８側のボス部７８ａに裏側からネジ８０等で着脱自在に取り付けられている。
【００３３】
賞球供給通路２７に対応する第１球崩し手段５３、第２球崩し手段５５は枢支ピン６８ａ，７４ａを介して裏機構板２１側に取り付けられ、また貸し球供給通路２８に対応する第１球崩し手段５４、第２球崩し手段５６は、貸し球供給通路２８と一体に着脱できるように貸し球通路部材７９側に枢支ピン６８ｂ，７４ｂを介して枢支されている。従って、この実施形態では、第１球崩し手段５３，５４と第２球崩し手段５５，５６は、賞球供給通路２７側と貸し球供給通路２８側とで別々の枢支ピン６８ａ，７４ａ、６８ｂ，７４ｂにより枢支されている。
【００３４】
賞球供給通路２７及び貸し球供給通路２８の上手側には、各供給通路２７，２８毎に、球切れ感知部材５２ａ，５２ｂと、この各球切れ感知部材５２ａ，５２ｂを介して球切れを感知する球切れ感知手段６１ａ，６１ｂとが別々に設けられ、その賞球用の球切れ感知手段６１ａは賞球払い出し手段２９を制御する賞球払い出し制御基板に、貸し球用の球切れ感知手段６１ｂは貸し球払い出し手段３０を制御する貸し球払い出し制御基板に夫々接続されている。そして、各球切れ感知手段６１ａ，６１ｂが球切れを感知した場合に、各制御基板を経て別々の報知手段又は共通の報知手段でその球切れを夫々識別可能に報知するようになっている。
【００３５】
なお、球切れ感知手段６１ａ，６１ｂは各通路部材７８，７９に別々に枢着されているが、貸し球用の球切れ感知部材５２ｂと球切れ感知手段６１ｂとを貸し球通路部材７９に取り付けて、貸し球供給通路２８と一体に着脱できるようにしても良い。
【００３６】
この実施形態でも、各供給通路２７，２８の第１球崩し手段５３，５４、第２球崩し手段５５，５６により各供給通路２７，２８の遊技球の重なりを崩すことができる。またＣＲ機には賞球供給通路２７と貸し球供給通路２８とを並設して使用するが、現金機では貸し球供給通路２８が不要であるため、この貸し球供給通路２８を取り外す。この場合、貸し球供給通路２８に第１球崩し手段５４、第２球崩し手段５６が付いているので、第１球崩し手段５４、第２球崩し手段５６を貸し球供給通路２８と一体に着脱できる。従って、賞球供給通路２７側を現金機用とＣＲ機用とに兼用できると共に、ＣＲ機用の組み立ても容易にできる。
【００３７】
なお、貸し球通路部材７９を使用しない場合には、その貸し球通路部材７９に代えて図１３に仮想線で示すように張り出し部８１ａを有する後壁部材８１をネジ８０により装着する。但し、現金機の場合には、図１３（Ａ）に示すように賞球供給通路２７に対応する大きさの出口４６を備えた遊技球タンク２６を使用する。
【００３８】
図１６、図１７は本発明の第４の実施形態を例示する。この実施形態では、賞球供給通路２７を構成する賞球通路部材７８の裏側に、貸し球供給通路２８を構成する貸し球通路部材７９と、貸し球通路部材７９の裏側の後壁部材８２とがネジ８０により着脱自在に装着され、その後壁部材８２に第１球崩し手段５４、第２球崩し手段５６が着脱自在に装着されている。賞球通路部材７８は中央に通路壁２７ｂを有し、貸し球通路部材７９は前側に通路壁２８ｂを有する。この実施形態では、ＣＲ機の場合には図１６、図１７に示すように組み立てて使用するが、現金機の場合には、貸し球通路部材７９を取り外して後壁部材８２を賞球通路部材７８の裏側に装着すれば良い。勿論、貸し球供給通路２８側の第１球崩し手段５４、第２球崩し手段５６は後壁部材８２から取り外す。
【００３９】
以上、本発明の各実施形態について詳述したが、これらの各実施形態に限定されるものではなく、本発明の趣旨を逸脱しない範囲内で種々の変更が可能である。実施形態では、賞球供給通路２７及び貸し球供給通路２８に２種類の球崩し手段を５３，５４、５５，５６を設けているが、遊技球の払い出し数の多い賞球供給通路２７側に複数個の球崩し手段５３，５５を設け、比較的遊技球の払い出し数の少ない貸し球供給通路２８側は球崩し手段５４又は球崩し手段５６の１個にする等、払い出し数の多少に応じて各供給通路２７，２８の球崩し手段の数を変えても良い。１個の供給通路に２個以上の球崩し手段を設けても良いが、その場合、各球崩し手段には異なる種類のものを使用するのが望ましい。球崩し手段は、揺動部材６９，７０による揺動式、昇降部材７５，７６による昇降式等の他、振動手段による振動式のものを用いても良い。
【００４０】
球崩し手段５３，５４、５５，５６は遊技球の重なりを崩せば良く、必ずしも各供給通路２７，２８内の遊技球を一列状に整列させる必要はない。各供給通路２７，２８内で遊技球が一列状に整列するか否かは、各供給通路２７，２８の幅の問題であり、その後段に整列手段がある場合には各供給通路２７，２８内で遊技球を一列状にする必要はない。
【００４１】
球崩し手段５３，５４、５５，５６を供給通路２７，２８の上側に配置する場合、その球崩し手段５３，５４、５５，５６を裏機構板２１に取り付けても良いし、通路部材４２等に取り付けても良い。第３の実施形態に例示するように通路部材７９に球崩し手段５４，５６の枢支ピン６８ｂ，７４ｂを設けた場合には、供給通路７９と一体に球崩し手段５４，５６を着脱できる利点がある。
【００４２】
賞球供給通路２７を複数個（例えば２個）並設する場合、その賞球供給通路２７に対応する第１球崩し手段５３，第２球崩し手段５５は夫々独立して作動可能にしても良いし、通路壁５７の高さが低ければ両賞球供給通路２７に跨がって一体に設けても良い。例えば、第１の実施形態では、第１球崩し手段５３を各賞球供給通路２７に対応して別々に設け、第２球崩し手段５５を２個の賞球供給通路２７に跨がって設けているが、第１球崩し手段５３、第２球崩し手段５５を共に２個の賞球供給通路２７に跨がる構造にしても良い。勿論、第１球崩し手段５３を２個の賞球供給通路２７に跨がる構造にし、第２球崩し手段５５を各賞球供給通路２７に対応して別々に設けても良い。
【００４３】
賞球供給通路２７と貸し球供給通路２８は各実施形態に例示のように前後に配置する他、賞球供給通路２７を上側又は下側に配置し、貸し球供給通路２８を下側又は上側に配置する等、上下に近接又は所定の間隔をおいて配置しても良い。その場合、下側の供給通路を裏機構板２１の裏側等に固定し、上側の供給通路を下側の供給通路又は裏機構板２１の裏側等に着脱自在に設けても良いし、上下の供給通路を共に裏機構板２１等に着脱自在に設けても良い。
【００４４】
賞球供給通路２７は１個でも良いし、前後方向に２個以上の複数個でも良い。また貸し球供給通路２８を裏機構板２１側に配置し、賞球供給通路２７を貸し球供給通路２８の裏側に配置しても良い。賞球系と貸し球系は遊技球タンク２６に賞球用と貸し球用との２個の出口４６を設ける等、遊技球タンク２６の出口４６側から分けても良いし、通路部材４２の長手方向の途中から賞球系と貸し球系とに分けても良い。
【００４５】
実施形態では上皿７と下皿１２とを備え、発射用の遊技球を貯留する球受け皿として上皿７を例示しているが、下皿１２のないものでも良い。球受け皿は遊技機本体１の前側に配置されるのが通常であるが、その一部が遊技機本体１の裏側に入るようにしても良いし、遊技機本体１の前側以外の箇所に設けても良い。更に本発明は、パチンコ機の他、アレンジボール機、雀球遊技機、その他の各種の弾球遊技機においても同様に実施可能である。
【００４６】
【発明の効果】
本発明によれば、賞球供給通路、貸し球供給通路の夫々での遊技球の重なりを防止でき、遊技球タンクからの遊技球を各払い出し手段へと円滑に供給できる。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示す要部の背面断面図である。
【図４】本発明の第１の実施形態を示す通路部の平面断面図である。
【図５】（Ａ）（Ｂ）は本発明の第１の実施形態を示す遊技球タンク部分の側面断面図である。
【図６】本発明の第１の実施形態を示す第１球崩し手段の側面断面図である。
【図７】本発明の第１の実施形態を示す第２球崩し手段の背面図である。
【図８】本発明の第１の実施形態を示す球崩し動作の説明図である。
【図９】本発明の第２の実施形態を示すタンク部分の側面断面図である。
【図１０】本発明の第２の実施形態を示す一部破断斜視図である。
【図１１】本発明の第３の実施形態を示す要部の背面断面図である。
【図１２】本発明の第３の実施形態を示す通路部の平面断面図である。
【図１３】（Ａ）（Ｂ）は本発明の第３の実施形態を示すタンク部分の側面断面図である。
【図１４】本発明の第３の実施形態を示す第１球崩し手段の側面断面図である。
【図１５】本発明の第３の実施形態を示す第２球崩し手段の背面図である。
【図１６】本発明の第４の実施形態を示す第１球崩し手段の側面断面図である。
【図１７】本発明の第４の実施形態を示す第２球崩し手段の背面図である。
【符号の説明】
１  遊技機本体
７  上皿（球受け皿）
２６  遊技球タンク
２７  賞球供給通路
２８  貸し供給通路
２９  賞球払い出し手段
３０  貸し球払い出し手段
５３，５４  第１球崩し手段
５５，５６  第２球崩し手段
６８，６８ａ，６８ｂ  枢支ピン
６９，７０  揺動部材
７１，７２  ウエイト
７４，７４ａ，７４ｂ  枢支ピン
【図１】
0003963212.tif 000002
【図２】
0003963212.tif 000003
【図３】
0003963212.tif 000004
【図４】
0003963212.tif 000005
【図５】
0003963212.tif 000006
【図６】
0003963212.tif 000007
【図７】
0003963212.tif 000008
【図８】
0003963212.tif 000009
【図９】
0003963212.tif 000010
【図１０】
0003963212.tif 000011
【図１１】
0003963212.tif 000012
【図１２】
0003963212.tif 000013
【図１３】
0003963212.tif 000014
【図１４】
0003963212.tif 000015
【図１５】
0003963212.tif 000016
【図１６】
0003963212.tif 000017
【図１７】
0003963212.tif 000018